(57)【要約】【課題】Ｉ字形をなす電動工具において、使用している途中で一時的に使用者の腰ベルトに電動工具を引っ掛けておくことをできるようにし、使用者の作業利便性の向上を図る。【解決手段】グリップハウジング２１は、前後にＩ字形のストレート形にて延びる形状に成形される。このグリップハウジング２１は、モータ軸３１の回転軸線の延長線方向に延びて内部で電動モータ３０を支持する。出力軸４２は、モータ軸３１の回転軸線と同一の回転軸線で回転するように設定されている。グリップハウジング２１のグリップエンド部には取付構造６０が設けられており、この取付構造６０には取付具７０が取り付けられる。この取付具７０は、フック部材を取り付けるためのフック取付部が設けられている。【選択図】図３
2016101621.tif 000002
【特許請求の範囲】
【請求項１】
モータ軸をステータに対して相対的に回転させるためのロータを有するモータと、
前記モータ軸の回転軸線の延長線方向に延びて内部で前記モータを支持するハウジングと、
加工材を加工する先端工具が取り付けられ且つ前記モータ軸の回転軸線と同一の回転軸線で回転する出力軸と、を有し、
前記ハウジングには、前記出力軸の配置側となる工具先端側とは反対側の工具基端側に、該電動工具自体を引っ掛けるようにするフックが取り付けられている、電動工具。
【請求項２】
請求項１に記載の電動工具において、
前記フックは、工具先端側が下側に向けて該電動工具自体が引っ掛けるように、前記工具先端側に向かって延びる形状を有する、電動工具。
【請求項３】
請求項１または請求項２に記載の電動工具において、
前記ハウジングの上側の面には、前記モータのオンオフ操作を行う操作スイッチが設けられており、
前記フックは、前記ハウジングの左右両側のいずれか一方の面あるいは両方の面に設けられている、電動工具。
【請求項４】
請求項１から請求項３のいずれかに記載の電動工具において、
前記出力軸の回転を規制する回転規制ボタンが、前記ハウジングの左右両側のいずれか一方の面に設けられている、電動工具。
【請求項５】
モータと、
使用者が把持可能とされるグリップ部と、
前記モータにより駆動される先端工具取付部と、
前記グリップ部の端部に形成され且つ前記モータに電力を供給するためのバッテリを取付け可能とされるバッテリ取付部と、を有し、
前記グリップ部と前記バッテリ取付部とは、樹脂の一体成形により形成されるハウジングの一部として設定されており、
前記ハウジングには、カラビナが取付け可能とされるカラビナ取付部が設けられている、電動工具。
【請求項６】
請求項５に記載の電動工具において、
前記ハウジングは、２つに分割された分割ハウジングを合体させることにより形成されており、
前記カラビナ取付部は、前記分割ハウジング同士にて挟み込まれることにより前記ハウジングと一体に結合されている、電動工具。
【請求項７】
請求項５または請求項６に記載の電動工具において、
前記カラビナ取付部は、回動可能に前記ハウジングに支持されている、電動工具。
【請求項８】
請求項５から請求項７のいずれかに記載の電動工具において、
前記カラビナ取付部は、前記ハウジングの外周面より外側に張り出されている、電動工具。
【請求項９】
モータと、
使用者が把持可能とされるグリップ部と、
前記モータにより駆動される先端工具取付部と、
前記グリップ部の端部に形成され且つ前記モータに電力を供給するためのバッテリが取付可能とされるバッテリ取付部と、を有し、
前記グリップ部と前記バッテリ取付部とは、樹脂の一体成形により形成されるハウジングの一部として設定されており、
前記ハウジングには、前記バッテリ取付部の両側部にフックを配置させるための連結部が取り付けられている、電動工具。
【発明の詳細な説明】
【技術分野】
【０００１】
この発明は、手で持って作業を行う手持ち式の電動工具に関する。
【背景技術】
【０００２】
従来、防じんボートトリマやカットアウトツールとも称され、石膏ボードの切り抜き作業等の加工作業に使用される電動工具が知られている（例えば特許文献１参照）。この種の電動工具は、回転駆動力を発生させる電動モータと、この電動モータの回転駆動力により回転駆動する出力スピンドル（出力軸）とを有する。出力スピンドルの先端には、加工ビットなどの先端工具が取り付けられる。このような電動工具は、使用者の使い勝手の観点から、先端工具が取り付けられる出力軸が、電動モータのモータ軸の回転軸線と同一軸線上に配置される。このため、電動モータが内蔵されつつグリップ部も兼ねるハウジング形状が直線状に延びたＩ字形をなしている。なお、使用者は、このグリップ部を手で持つことによって、石膏ボードの切り抜き作業等の加工作業を行う。
【先行技術文献】
【特許文献】
【０００３】
【特許文献１】特開２０１４−３７０３７号公報
【発明の概要】
【発明が解決しようとする課題】
【０００４】
ところで、上記した種類の電動工具にあっても、一時的に使用者の腰ベルトに電動工具を引っ掛けて使用者の両手を工具以外に使えるようにし、作業上の利便性を図るようにしたい、との要請がある。
【０００５】
本発明は、このような事情に鑑みなされたものであって、本発明が解決しようとする課題は、電動モータが内蔵されつつグリップ部も兼ねるハウジング形状が直線状に延びたＩ字形をなす電動工具において、使用している途中で一時的に使用者の腰ベルトに電動工具を引っ掛けておくことをできるようにし、使用者の作業利便性の向上を図ることにある。
【課題を解決するための手段】
【０００６】
上記した課題を解決するにあたって、本発明に係る電動工具は次の手段をとる。すなわち、本発明の第１の発明に係る電動工具は、モータ軸をステータに対して相対的に回転させるためのロータを有するモータと、前記モータ軸の回転軸線の延長線方向に延びて内部で前記モータを支持するハウジングと、加工材を加工する先端工具が取り付けられ且つ前記モータ軸の回転軸線と同一の回転軸線で回転する出力軸と、を有し、前記ハウジングには、前記出力軸の配置側となる工具先端側とは反対側の工具基端側に、該電動工具自体を引っ掛けるようにするフックが取り付けられている、という構成である。
【０００７】
この第１の発明に係る電動工具によれば、ハウジングには工具基端側に電動工具自体を引っ掛けるようにするフックが取り付けられているので、このフックで電動工具を一時的でも使用者の腰ベルトに引っ掛けておくことができる。これによって、電動モータが内蔵されつつグリップ部も兼ねるハウジング形状が直線状に延びたＩ字形をなす電動工具において、使用している途中で一時的に使用者の腰ベルトに電動工具を引っ掛けておくことをできるようにし、使用者の作業利便性の向上を図ることができる。
【０００８】
本発明の第２の発明に係る電動工具は、前記第１の発明に係る電動工具において、前記フックは、工具先端側が下側に向けて該電動工具自体が引っ掛けるように、前記工具先端側に向かって延びる形状を有する、という構成である。
【０００９】
本発明の第３の発明に係る電動工具は、前記第１または前記第２の発明に係る電動工具において、前記ハウジングの上側の面には、前記モータのオンオフ操作を行う操作スイッチが設けられており、前記フックは、前記ハウジングの左右両側のいずれか一方の面あるいは両方の面に設けられている、という構成である。
【００１０】
本発明の第４の発明に係る電動工具は、前記第１から前記第３のいずれかの発明に係る電動工具において、前記出力軸の回転を規制する回転規制ボタンが、前記ハウジングの左右両側のいずれか一方の面に設けられている、という構成である。
【００１１】
本発明の第５の発明に係る電動工具は、モータと、使用者が把持可能とされるグリップ部と、前記モータにより駆動される先端工具取付部と、前記グリップ部の端部に形成され且つ前記モータに電力を供給するためのバッテリを取付け可能とされるバッテリ取付部と、を有し、前記グリップ部と前記バッテリ取付部とは、樹脂の一体成形により形成されるハウジングの一部として設定されており、前記ハウジングには、カラビナが取付け可能とされるカラビナ取付部が設けられている、という構成である。
【００１２】
本発明の第６の発明に係る電動工具は、前記第５の発明に係る電動工具において、前記ハウジングは、２つに分割された分割ハウジングを合体させることにより形成されており、前記カラビナ取付部は、前記分割ハウジング同士にて挟み込まれることにより前記ハウジングと一体に結合されている、という構成である。
【００１３】
本発明の第７の発明に係る電動工具は、前記第５または前記第６の発明に係る電動工具において、前記カラビナ取付部は、回動可能に前記ハウジングに支持されている、という構成である。
【００１４】
本発明の第８の発明に係る電動工具は、前記第５から前記第７のいずれかの発明に係る電動工具において、前記カラビナ取付部は、前記ハウジングの外周面より外側に張り出されている、という構成である。
【００１５】
本発明の第９の発明に係る電動工具は、モータと、使用者が把持可能とされるグリップ部と、前記モータにより駆動される先端工具取付部と、前記グリップ部の端部に形成され且つ前記モータに電力を供給するためのバッテリが取付可能とされるバッテリ取付部と、を有し、前記グリップ部と前記バッテリ取付部とは、樹脂の一体成形により形成されるハウジングの一部として設定されており、前記ハウジングには、前記バッテリ取付部の両側部にフックを配置させるための連結部が取り付けられている、という構成である。
【図面の簡単な説明】
【００１６】
【図１】取付具が取り外されたカットアウトツール本体を斜視にて示す斜視図である。
【図２】第１の実施の形態の取付具を斜視にて示す分解斜視図である。
【図３】第１の実施の形態のカットアウトツールの内部構造を左右半割り断面にて示す内部断面図である。
【図４】第２の実施の形態の取付具を斜視にて示す分解斜視図である。
【図５】第２の実施の形態のカットアウトツールの内部構造を左右半割り断面にて示す内部断面図である。
【図６】第３の実施の形態の取付具をカットアウトツール本体と共に斜視にて示す斜視図である。
【図７】第３の実施の形態のカットアウトツールの内部構造を左右半割り断面にて示す内部断面図である。
【発明を実施するための形態】
【００１７】
［第１の実施の形態］
以下、本発明に係る電動工具を実施するための実施の形態について説明する。なお、以下に説明する電動工具は、いわゆる防じんボートトリマやカットアウトツールと称される手持ち式の電動工具であり、石膏ボードの切り抜き作業等の加工作業に使用される。図１〜図３に示すカットアウトツール１０は、本発明に係る電動工具の第１の実施の形態である。このカットアウトツール１０は、概略、カットアウトツール本体１１と取付具７０とを有して構成される。図１は、取付具７０が取り外されたカットアウトツール本体１１のみを斜視にて示す斜視図である。図２は、第１の実施の形態の取付具７０を斜視にて示す分解斜視図である。図３は、第１の実施の形態のカットアウトツール１０の内部構造を左右半割り断面にて示す内部断面図である。なお、以下では、図示記載の通りでカットアウトツール１０に関する上下前後左右を規定して説明するものとする。
【００１８】
先ず、カットアウトツール本体１１について図１および図３を参照しながら説明する。カットアウトツール本体１１は、概略、工具本体１２と、充電式バッテリ１４と、シュー１６とを有する。工具本体１２は、図３に示すように、電動モータ３０を内装しつつグリップをなすモータグリップ部２０と、出力軸４２を回転可能に支持する出力機構部４０とを有する。これらモータグリップ部２０と出力機構部４０とは直線方向に並べられている。具体的には、直線方向に延びるモータグリップ部２０の前端に出力機構部４０が取り付けられ、カットアウトツール本体１１が構成されている。
【００１９】
モータグリップ部２０は、概略、グリップハウジング２１と、電動モータ３０と、操作スイッチ３６とを有する。グリップハウジング２１は、使用者が手で握るためのグリップ形状を有して成形されている。すなわち、このグリップハウジング２１は、電動モータ３０を内蔵するモータハウジングとしても機能しており、電動モータ３０を内蔵可能とする筒形の形状に成形されて設定される。このグリップハウジング２１は、前後にＩ字形のストレート形にて延びる形状に成形される。つまり、このグリップハウジング２１は、モータ軸３１の回転軸線の延長線方向に延びて内部で電動モータ３０を支持する。グリップハウジング２１は、左右半割りの左側ハウジング２１１と右側ハウジング２１２とを合体させることにより筒形をなしている。これら左側ハウジング２１１と右側ハウジング２１２とは、適宜の樹脂材料により成形されており、５つの螺子止め部２１５にて螺子止めされることにより一体化されたグリップハウジング２１をなしている。
【００２０】
前後に延びるグリップハウジング２１は、中間範囲がグリップ部２２として形成され、グリップ部２２の端部となる後端がバッテリ取付部２３として形成され、前端が機構取付部２４として形成される。これらグリップ部２２とバッテリ取付部２３とを有するグリップハウジング２１は、樹脂の一体成形により形成されている。グリップ部２２は、カットアウトツール１０を電動工具として使用するに際して使用者により手握りされる（把持可能）部分として設定される。このグリップ部２２は、野球バットのグリップのような外周形状を有して形成される。具体的には、グリップ部２２は、前後方向にて手で握られることが可能な長さを有する外周形状に設定される。バッテリ取付部２３は、詳しく図示しないが、充電式バッテリ１４をスライド装着させる構造と、充電式バッテリ１４を電気的に接続させる構造とを有する。
【００２１】
また、グリップ部２２の後部は、グリップエンド部５０として形成される。グリップエンド部５０は、グリップ部２２の外周の周径に比して拡大された周径に設定される。具体的には、グリップエンド部５０の外周の周径は、野球バットのグリップエンドのようにグリップ部２２から滑らかに拡げられるように設定されている。このグリップエンド部５０には、後に詳述する取付具７０が取り付けられるようになっており、後に詳述する取付構造６０が設けられている。なお、図１に示すように、グリップハウジング２１には電動モータ３０のカーボンブラシを交換するための交換蓋２５が取り付けられている。また、グリップハウジング２１には、グリップハウジング２１の内部に外気を吸気するための吸気口２６が設けられている。この吸気口２６は、矩形の窓が多数設けられて設定される。また、グリップハウジング２１の表面には、グリップ力を高める熱可塑性エラストマ（ＴＰＥ）２７が、グリップハウジング２１と一体に適宜に成形されている。
【００２２】
また、グリップ部２２の前部も、グリップエンド部５０のようにグリップ部２２の外周の周径に比して拡大された周径に設定される。具体的には、グリップエンド部５０の外周の周径は、グリップ部２２から滑らかに拡げられるように設定されている。なお、このグリップ部２２の前部の拡げられる周径は、グリップエンド部５０の外周の周径に比して小さい。このため、グリップ部２２を手で握った場合の握り感触は、このような外周の周径の違いによって高められたものとなっている。グリップハウジング２１の内部には、電動モータ３０、操作スイッチ３６、コントローラ３９が内蔵される。
【００２３】
電動モータ３０は、いわゆるブラシモータで構成される。すなわち、電動モータ３０は、モータ軸３１と、ステータ３２と、ロータ３３と、コンミテータ３４とを有する。モータ軸３１は、後端側ベアリング３１１と前端側ベアリング３１２とにより支持される。なお、前端側ベアリング３１２は、圧入連結される出力軸４２を介してモータ軸３１を支持する。また、後端側ベアリング３１１はグリップハウジング２１により支持され、前端側ベアリング３１２は機構ハウジング４１により支持される。ステータ３２は、グリップハウジング２１により支持される。ロータ３３は、モータ軸３１を回転軸とするように一体となってステータ３２に対して相対的に回転する。コンミテータ３４は、充電式バッテリ１４から供給される電力を整流する。また、モータ軸３１の前端近くには、冷却ファン３５が設けられている。この冷却ファン３５は、遠心式ファンにて構成され、グリップハウジング２１の内部の空気を後から前に流すように作用する。なお、流される外気は、グリップハウジング２１の内部を通って、出力機構部４０の前面に設けられる吹出し口４８（図１参照）を通じて外へ排気される。
【００２４】
操作スイッチ３６は、スイッチ本体３７とスライドレバー３８とを有する。スイッチ本体３７は、スライドレバー３８のスライドを受けてオン入力される接点スイッチにて構成される。スライドレバー３８は、前後にスライド可能に構成される。スライドレバー３８は、グリップハウジング２１の上側にて電動モータ３０のオンオフ操作可能に外部に露出される操作部３８１を有する。コントローラ３９は、吸気口２６に近接するグリップハウジング２１の内部において支持されている。このため、吸気口２６からグリップハウジング２１の内部に吸引された外気は、グリップハウジング２１の内部に配置されるコントローラ３９に直ぐに当たることとなり、このコントローラ３９を効率良く冷却する。
【００２５】
なお、バッテリ取付部２３に装着される充電式バッテリ１４は、カットアウトツール１０の電源として工具本体１２に装着されるバッテリである。つまり、バッテリ取付部２３は、電動モータ３０に電力を供給するための充電式バッテリ１４が取付け可能とされる。
充電式バッテリ１４は、使用により充電量が少なくなると不図示の専用充電器により充電され、再び工具本体１２に装着される。充電式バッテリ１４は、バッテリ取付部２３に対して、上から下にスライドさせるようにして装着され、図１に示す押下ボタン１４１を押し下げて取り外される。
【００２６】
出力機構部４０は、主として出力軸４２を回転可能に支持する。この出力軸４２は、モータ軸３１の回転軸線と同一の回転軸線で回転するように設定されている。この出力軸４２は、不図示のビットを保持して回転出力する。このビットは、加工材を加工するために出力軸４２に取り付けられる本発明に係る先端工具に相当する。なお、このビットは、加工材の加工態様に応じて選択される。出力機構部４０は、概略、機構ハウジング４１と、出力軸４２と、チャック機構４４とを備える。機構ハウジング４１は、図１に示すようにグリップハウジング２１の前面にて４本の螺子部材４９を介して螺子止めされている。機構ハウジング４１は、一体成形される金属の成形部材となっている。機構ハウジング４１の前面には、図１に示すように吹出し口４８が設けられている。この吹出し口４８からは、冷却ファン３５による風が外部に吹き出される。
【００２７】
出力軸４２は、後部にモータ軸３１が圧入され、前部にチャック機構４４が設けられる。チャック機構４４は、先端工具としてのビットを保持するように作用する。つまり、チャック機構４４は、本発明に係るモータにより駆動される先端工具取付部に相当する。また、機構ハウジング４１の右側面には、シュー１６が取り付けられる。シュー１６は、シュー１６は、工具本体１２に対して前後方向にスライド可能に機構ハウジング４１に取り付けられる。シュー１６は、工具本体１２に対して前後方向の相対位置を決めることにより、ビットの加工可能な突出量を設定することができる。なお、図示符号４６は、工具本体１２に対してシュー１６を固定する締結螺子部材である。また、図６に示す符号４７は、出力軸４２の回転を規制する回転規制ボタンである。この回転規制ボタン４７は、グリップハウジング２１の左側面に設けられている。なお、この回転規制ボタン４７は、グリップハウジング２１の左右両側面のいずれに設けられるものであってもよい。
【００２８】
次に、グリップエンド部５０に設けられる取付構造６０と、取付構造６０に取り付けられる取付具７０について説明する。このグリップエンド部５０は、グリップハウジング２１のうち、出力軸４２の配置側となる工具先端側とは反対側の工具基端側として設定される。グリップエンド部５０は、上記したようにグリップ部２２の外周の周径に比して拡大された周径に設定されるが、上部範囲よりも下部範囲が張り出されて形成される。図３に示すように、グリップエンド部５０の下部範囲は、後側に向かうに連れて外側に拡がっている。この拡がり方は、グリップ部２２から後側に向けて二段階に分けられて拡がっている。すなわち、グリップエンド部５０は、グリップ部２２から後側に拡がる第１拡径部５３と、第１拡径部５３から後側に拡がる第２拡径部５４とが形成されている。第１拡径部５３と第２拡径部５４とは前後に連なっている。第２拡径部５４の拡がり角度は、第１拡径部５３の拡がり角度よりも小さな拡がり角度に設定されており、後側に向かうに連れて外側に拡がっている。
【００２９】
図２に示す取付具７０は、第２拡径部５４の周囲に取り付けられる。このため、取付具７０を取り付けるための取付構造６０は、この第２拡径部５４の周辺に設定されている。具体的には取付構造６０は、主に、嵌合係止部６１と係合端縁部６５とにより構成される。嵌合係止部６１は、グリップエンド部５０の上部の左右中央箇所に設定される。この嵌合係止部６１は、従前では不図示のストラップの留め用部分に設定されている箇所となっている。つまり、嵌合係止部６１は、概略、凹部６２と棒本体６３とを有する。凹部６２は、グリップエンド部５０の上部の左右中央箇所にて、上側から下側へ凹まされるようにして形成される。この凹部６２の凹み深さは、上記したモータ軸３１の径の２倍（１〜２倍）程度の長さに設定される。また、この凹部６２の凹み左右幅は、凹部６２の凹み深さの２倍程度に設定される。
【００３０】
これに対して、棒本体６３は、凹部６２の内部において左右で掛け渡されるように設けられている。棒本体６３の径は、モータ軸３１の径よりも小さく設定されている。このように凹部６２の内部で掛け渡される棒本体６３は、凹部６２の内周面との間に適宜のクリアランスが設けられている。このため、取付具７０が取り付けられていない状態の嵌合係止部６１は、不図示のストラップの端部が棒本体６３に巻きつけられるストラップ留め部として機能するようになっている。なお、この棒本体６３は、右側ハウジング２１２に一体に成形されており、左側ハウジング２１１と右側ハウジング２１２との合体により、凹部６２の内部において左右で掛け渡されるように設定される。つまり、この棒本体６３が挿通される適宜の貫通孔を有する別部材を設けるに際しては、２つに分割された左側ハウジング２１１と右側ハウジング２１２との合体させる際に、この別部材の適宜の貫通孔に棒本体６３を差し通す。この状態で、この別部材を左側ハウジング２１１と右側ハウジング２１２とで挟み込むようにして、左側ハウジング２１１と右側ハウジング２１２とを合体させ、この別部材をグリップハウジング２１と一体に結合するものとなっている。
【００３１】
これに対して、係合端縁部６５は、グリップエンド部５０の下部端縁６４に設定される。この係合端縁部６５は、図１に示すように左右中央箇所にて下側に突き出されるように設けられている。この係合端縁部６５は、グリップエンド部５０の下部端縁６４のうち、左右方向の長さ範囲が半分以上の長さ範囲に亘るように設定されている。この係合端縁部６５は、バッテリ取付部２３に装着された充電式バッテリ１４の下方端よりも下側に突き出されるように形成されている。このため、この係合端縁部６５は、取付具７０が取り付けられていない状態では、装着された充電式バッテリ１４を保護するバンパとして機能するようになっている。なお、取付構造６０の一部として、第２拡径部５４の左右方向に面する外表面は、上記した熱可塑性エラストマ（ＴＰＥ）２７が一体に成形されている。
【００３２】
次に、上記した取付構造６０に対して取り付けられる取付具７０について説明する。取付具７０は、図２に示すように、上下２つに分割された上側部材７１と下側部材８１とを、雄螺子部材９０により螺子締結されて一体となることにより構成される。上側部材７１は、取付構造６０が設定される第２拡径部５４の周囲のうち、上側と左右両側とに亘る範囲に設定される。具体的には、上側部材７１は、上辺部７２と左辺部７３と右辺部７４とを有する。これら上辺部７２と左辺部７３と右辺部７４とは、コ字形をなすように連接して一体にされている。上辺部７２は、取付具７０が取付構造６０に取り付けられた場合に、第２拡径部５４の上側面５４１に当接する内周面７２１を有して形成される。すなわち、上辺部７２は、長く延びる矩形の形状が第２拡径部５４の上側面５４１に対応して適宜に曲げられて形成される。
【００３３】
この上辺部７２には、嵌合係止部６１に嵌合して係止される係止雄部７５が設けられている。この係止雄部７５は、上辺部７２の内周面７２１の中央部分にて、下側に突き出されるように設けられる。突き出される係止雄部７５は、上記した嵌合係止部６１の凹部６２にぴったりと収容可能な凸形に設定される。この係止雄部７５の突き出される端部には、嵌合凹溝７５１が設けられている。この嵌合凹溝７５１は、嵌合係止部６１の棒本体６３が嵌合される凹形に設定される。具体的には、嵌合凹溝７５１は、凹部６２の内部において左右で掛け渡される棒本体６３が嵌合可能に、左右に延びる凹溝形に設定される。このため、係止雄部７５の嵌合凹溝７５１に嵌合係止部６１の棒本体６３が嵌合されながら、嵌合係止部６１の凹部６２に係止雄部７５がぴったりと嵌まり込むことができる。このような場合には、取付具７０は、グリップハウジング２１に対して相対的に動きが規制された一体化された状態となる。
【００３４】
左辺部７３と右辺部７４とは、上辺部７２と連接して成形されている。また、左辺部７３と右辺部７４とは、上辺部７２の左右中間位置にて前後方向に延びる軸線を対称軸線とし、この対称軸線に対して左右対称となる形状に設定されている。すなわち、左辺部７３は、上辺部７２の左端から後側に延びる形状を有する。右辺部７４は、上辺部７２の右端から後側に延びる形状を有する。左辺部７３と右辺部７４の両者のそれぞれには、フック取付部７３５，７４５が設けられている。このフック取付部７３５，７４５は、本発明に係るフック部材９１を配置させるための連結部に相当し、バッテリ取付部２３の両側部に設定される。
【００３５】
つまり、取付具７０は、グリップハウジング２１の左右両側のいずれに対してもフック部材９１のフック部９４を設定できるように、フック取付部７３５，７４５が設けられている。フック取付部７３５，７４５は、上辺部７２よりも拡大された左側矩形体７３１と右側矩形体７４１とに対して設けられている。具体的には、左側矩形体７３１は、第２拡径部５４の左側面に当接する内周面７３２を有して形成される。右側矩形体７４１は、第２拡径部５４の右側面に当接する内周面７４２を有して形成される。
【００３６】
また、左側矩形体７３１と右側矩形体７４１との外周面７３３，７４３には、フック部材９１を取り付けるための嵌合スリット７３６，７４６と雌螺子部７３７，７４７とが設けられている。嵌合スリット７３６，７４６は、フック部材９１の差込板部９２が差し込まれる箇所として設定される。また、雌螺子部７３７，７４７は、フック部材９１の係止孔９３を差し通した雄螺子（不図示）が螺子締結される箇所として設定される。このようにフック部材９１にあっては、差込板部９２を嵌合スリット７４６（７３６）に差し込み、この状態で係止孔９３を差し通した雄螺子（不図示）を雌螺子部７４７（７３７）に螺子締結する。そうすると、このようなフック取付部７４５（７３５）にフック部材９１が取り付けられる。
【００３７】
なお、左側矩形体７３１および右側矩形体７４１の両者の端面には、雌螺子部７３９，７４９が設けられている。この雌螺子部７３９，７４９は、雄螺子部材９０が螺合可能に形成される。ちなみに、フック部材９１は、使用者の腰ベルトなどに引っ掛けるようにされる腰ベルト用のフック部材であり、適宜に折り返しされたフック部９４が設けられている。つまり、フック部材９１は、このフック部９４により、カットアウトツール１０自体を使用者の腰ベルトなどに引っ掛けることができるようにするものである。なお、このフック部９４は、このフック部９４を利用してカットアウトツール１０自体を使用者の腰ベルトなどに引っ掛けた場合に、出力軸４２（工具先端）側が下側に向いて引っ掛けられるように、出力軸４２（工具先端）側に向かって延びる形状を有する。
【００３８】
これに対して下側部材８１は、取付構造６０が設定される第２拡径部５４の周囲のうち、下側と左右結合部分とに亘る範囲に設定される。具体的には、下側部材８１は、下辺部８２と左結合部８３と右結合部８４とを有する。これら下辺部８２と左結合部８３と右結合部８４とは、コ字形をなすように連接して一体にされている。下辺部８２は、取付具７０が取付構造６０に取り付けられた場合に、第２拡径部５４の下側面５４４に当接する内周面８２１を有して形成される。すなわち、下辺部８２は、長く延びる矩形の形状が第２拡径部５４の下側面５４４に対応して適宜に曲げられて形成される。
【００３９】
下辺部８２には、図３にも示すように係合端縁部６５と係合される係合凹部８５が設けられている。この係合凹部８５は、下辺部８２から下側に突き出される突出体８２５に対して設けられている。係合凹部８５は、突出体８２５の内周面側を刳り抜いて凹形状を設けるようにして形成される。この係合凹部８５の凹形状は、突き出される係合端縁部６５の形状に対応した形状に設定される。このため、この係合凹部８５には係合端縁部６５が、ぴったり嵌まるように形成されている。また、左結合部８３と右結合部８４とには、雄螺子部材９０を差し通すための挿通孔８３１，８４１が設けられている。挿通孔８３１，８４１に差し通された雄螺子部材９０は、雌螺子部７３７，７４７に螺合する。このようにして、上側部材７１と下側部材８１とは、雄螺子部材９０を介して一体に螺子締結される。
【００４０】
上記したカットアウトツール１０によれば、取付具７０が取付構造６０に取り付けられる。また、この取付具７０には、フック部材９１が取り付けられる。つまり、グリップエンド部５０にはカットアウトツール１０自体を引っ掛けるようにするフック部材９１が取り付けられている。これによって、このカットアウトツール１０を使用している途中で一時的にでも使用者の腰ベルトに引っ掛けられるようにすることができる。つまり、電動モータ３０が内蔵されつつグリップ部２２も兼ねるハウジング形状が直線状に延びたＩ字形をなすカットアウトツール１０において、使用している途中で一時的に使用者の腰ベルトにカットアウトツール１０を引っ掛けておくことをできるようにし、使用者の作業利便性の向上を図ることができる。
【００４１】
［第２の実施の形態］
これに対して、図５に示すカットアウトツール１０Ａは、本発明に係る電動工具の第２の実施の形態である。このカットアウトツール１０Ａは、上記した取付具７０とは相違する形状の取付具７０Ａがカットアウトツール本体１１に取り付けられている。なお、この第２の実施の形態のカットアウトツール本体１１については、第１の実施の形態のカットアウトツール本体１１と全く同一の構成となっている。つまり、この第２の実施の形態の取付具７０Ａが取り付けられる取付構造６０にあっても、第１の実施の形態と全く同一の構成となっている。すなわち、図４は、第２の実施の形態の取付具７０Ａを斜視にて示す分解斜視図である。図５は、第２の実施の形態のカットアウトツール１０Ａの内部構造を左右半割り断面にて示す内部断面図である。なお、図４に示す取付具７０Ａは、図２に示す取付具７０とは上下方向が逆向きにされて図示されている。
【００４２】
この第２の実施の形態の取付具７０Ａにあっても、上下２つに分割された上側部材７１Ａと下側部材８１Ａとを、雄螺子部材９０Ａにより螺子締結されて一体となることにより構成される。なお、この第２の実施の形態のうち、第１の実施の形態と同一に構成される箇所については、上記した第１の実施の形態にて付けた名称を同一の名称を用いて説明を省略する。すなわち、第１の実施の形態の取付具７０の左辺部７３および右辺部７４は、上側部材７１に対して設けられていた。しかし、この第２の実施の形態の取付具７０Ａの左辺部８３Ａおよび右辺部８４Ａは、下側部材８１Ａに対して設けられている。なお、この第２の実施の形態の取付具７０Ａは、左辺部８３Ａおよび右辺部８４Ａの構成がカラビナ取付部８３５Ａ，８４５Ａが設けられるものとして相違する。このため、以下では、この左辺部８３Ａおよび右辺部８４Ａの構成について重点的に説明し、そのほかの構成については簡単に説明するものとする。
【００４３】
下側部材８１Ａは、取付構造６０が設定される第２拡径部５４の周囲のうち、下側と左右両側とに亘る範囲に設定される。この下側部材８１Ａは、下辺部８２Ａと左辺部８３Ａと右辺部８４Ａとを有する。この下辺部８２Ａにあっても、上記した第１の実施の形態の下辺部８２と同様、取付具７０Ａが取付構造６０に取り付けられた場合に、第２拡径部５４の下側面５４４に当接する内周面８２１Ａを有して形成される。また、この下辺部８２Ａにも、グリップエンド部５０の係合端縁部６５と係合される係合凹部８５Ａが設けられている。この係合凹部８５Ａは、下辺部８２Ａから下側に突き出される突出体８２５Ａに対して設けられている。左辺部８３Ａと右辺部８４Ａとは、下辺部８２Ａと連接して成形されている。
【００４４】
左辺部８３Ａと右辺部８４Ａとにあっても、下辺部８２Ａの左右中間位置にて前後方向に延びる軸線を対称軸線とし、この対称軸線に対して左右対称となる形状に設定されている。すなわち、左辺部８３Ａは、下辺部８２Ａの左端から後側に延びる形状を有する。右辺部８４Ａは、下辺部８２Ａの右端から後側に延びる形状を有する。左辺部８３Ａと右辺部８４Ａの両者のそれぞれには、カラビナ取付部８３５Ａ，８４５Ａと、雌螺子部８３９Ａ，８４９Ａが設けられている。カラビナ取付部８３５Ａ，８４５Ａは、カラビナが取付け可能とされる円柱形状が延ばされることにより設定される。このカラビナ取付部８３５Ａ，８４５Ａは、カラビナが取付け可能となるように、下辺部８２Ａよりも適宜に縮径された細い径の円柱形状を適宜に延ばすことにより設定される。
【００４５】
カラビナ取付部８３５Ａ，８４５Ａは、下辺部８２Ａの突出体８２５Ａの配置箇所に向かう箇所まで、適宜に湾曲して形成されている。また、このカラビナ取付部８３５Ａ，８４５Ａの上側には、雌螺子部８３９Ａ，８４９Ａがカラビナ取付部８３５Ａ，８４５Ａと連接して形成されている。この雌螺子部８３９Ａ，８４９Ａは、雄螺子部材９０Ａが螺合可能に形成される。この雌螺子部８３９Ａ，８４９Ａは、カラビナ取付部８３５Ａ，８４５Ａよりも拡径された左矩形部８３７Ａおよび右矩形部８４７Ａに対して設けられている。これら左右の矩形部８３７Ａ，８４７Ａは、第２拡径部５４の両側面に当接する内周面８３２Ａ，８４２Ａを有して形成される。このカラビナ取付部８３５Ａ，８４５Ａは、カラビナを取り付けることができるように、第２拡径部５４に対して適宜に離間された配置形状を有して設定される。つまり、このカラビナ取付部８３５Ａ，８４５Ａは、グリップハウジング２１の外周面より外側に張り出されている。
【００４６】
これに対して上側部材７１Ａは、取付構造６０が設定される第２拡径部５４の周囲のうち、上側と左右結合部分とに亘る範囲に設定される。具体的には、上側部材７１Ａは、上辺部７２Ａと左結合部７３Ａと右結合部７４Ａとを有する。これら上辺部７２Ａと左結合部７３Ａと右結合部７４Ａとは、コ字形をなすように連接して一体にされている。この上辺部７２Ａにも、上記した係止雄部７５Ａが設けられている。この係止雄部７５Ａは、上辺部７２Ａの内周面７２１Ａの中央部分にて、下側に突き出されるように設けられる。突き出される係止雄部７５Ａは、上記した嵌合係止部６１の凹部６２にぴったりと収容可能な凸形に設定される。なお、この係止雄部７５Ａにも、嵌合係止部６１の棒本体６３が嵌合される嵌合凹溝７５１Ａが設けられている。また、左結合部７３Ａと右結合部７４Ａとには、雄螺子部材９０Ａを差し通すための挿通孔７３１Ａ，７４１Ａが設けられている。挿通孔７３１Ａ，７４１Ａに差し通された雄螺子部材９０Ａは、雌螺子部８３９Ａ，８４９Ａに螺合する。このようにして、上側部材７１Ａと下側部材８１Ａとは、雄螺子部材９０Ａを介して一体に螺子締結される。
【００４７】
［第３の実施の形態］
これに対して、図６および図７に示すカットアウトツール１０Ｂは、本発明に係る電動工具の第３の実施の形態である。このカットアウトツール１０Ｂは、上記した取付具７０，７０Ａとは相違する形状の取付具７０Ｂがカットアウトツール本体１１に取り付けられている。なお、この第３の実施の形態のカットアウトツール本体１１については、第１の実施の形態のカットアウトツール本体１１と全く同一の構成となっている。つまり、この第３の実施の形態の取付具７０Ｂが取り付けられる箇所についても第１の実施の形態と全く同一の構成となっている。すなわち、図６は、第３の実施の形態の取付具７０Ｂをカットアウトツール本体１１と共に斜視にて示す斜視図である。図７は、第３の実施の形態のカットアウトツール１０の内部構造を左右半割り断面にて示す内部断面図である。
【００４８】
図６および図７に示すように、第３の実施の形態の取付具７０Ｂは、上側のみに設けられるストラップ形として構成される。すなわち、取付具７０Ｂは、連結部材７１Ｂとストラップ部材８１Ｂとを有する。この連結部材７１Ｂは、上記した嵌合係止部６１に連結されると共にストラップ部材８１Ｂも連結する。この連結部材７１Ｂは、略矩形の躯体部材７２Ｂに対して２つの並列される連結孔７３Ｂ，７４Ｂが設けられている。この連結孔７３Ｂ，７４Ｂのそれぞれは、互いが並列される方向に対して直交する方向（左右方向）に貫通されている。ここで、第１連結孔７３Ｂには、上記した嵌合係止部６１の棒本体６３が差し込まれる。
【００４９】
具体的には、左側ハウジング２１１と右側ハウジング２１２とを合体させる前に、右側ハウジング２１２に設けられた棒本体６３を連結部材７１Ｂの第１連結孔７３Ｂに差し込んでおく。この状態で右側ハウジング２１２に対して左側ハウジング２１１を合体させると、凹部６２の内部において左右で掛け渡された棒本体６３が第１連結孔７３Ｂに差し込まれた状態が保持されることとなる。なお、連結部材７１Ｂは、棒本体６３を回転軸として僅かであるが回動することができる。また、第２連結孔７４Ｂには、次に説明するストラップ部材８１Ｂの係止軸部８２Ｂが差し込まれる。
【００５０】
ストラップ部材８１Ｂは、長い軸形状を適宜に折り曲げられてリング形に成形されている。このストラップ部材８１Ｂのリング形は、カラビナが取り付けられるように形成されている。また、このストラップ部材８１Ｂのリング形の一部は、第２連結孔７４Ｂに差し込むことができるようにされる係止軸部８２Ｂとして設定される。この係止軸部８２Ｂは、上記した棒本体６３のように形成されている。なお、係止軸部８２Ｂの中間部分には、互いに分断される分断部８３Ｂが設けられている。この係止軸部８２Ｂは、この分断部８３Ｂにて分断された係止軸部８２Ｂを互いにずらすことにより、第２連結孔７４Ｂに差し込むことができる。
【００５１】
このように係止軸部８２Ｂが第２連結孔７４Ｂに差し込まれると、ストラップ部材８１Ｂは、係止軸部８２Ｂを回転軸として回動することができる。このように取付具７０Ｂが嵌合係止部６１に取り付けられてグリップハウジング２１と一体となると、取付具７０Ｂのストラップ部材８１Ｂの環状部８４Ｂにカラビナなどを取り付けて、このカットアウトツール１０Ｂを保管することができる。
【００５２】
なお、本発明に係る電動工具にあっては、上記した実施の形態の電動工具の構成に限定されるものではなく、適宜変更が加えられて構成されるものであってもよい。すなわち、上記した実施の形態では、いわゆるカットアウトツール（防じんボートトリマ）と称される電動工具を例示して説明するものであった。しかしながら、本発明に係る電動工具としては、このような例に限定されることなく、例えばストレートシャーやニブラなどのＩ字形のハウジングを有する電動工具で構成されるものであってもよい。
【００５３】
また、上記した取付具７０の用途しては、上記した機能以外の機能を有して設定されるものであってもよい。例えば、上記した取付具７０（７０Ａ，７０Ｂ）にあっては、適宜のビットを収容する機能や、充電式バッテリ１４を保護するバンパとしての機能が設けられるものであってもよい。また、取付具７０（７０Ａ，７０Ｂ）の取付構成としては、上記したことに限定されることなく、左側ハウジング２１１と右側ハウジング２１２とにより適宜に挟み込まれるようにして構成されるものであってもよい。
【符号の説明】
【００５４】
１０  カットアウトツール（電動工具）
１１  カットアウトツール本体
１２  工具本体
１４  充電式バッテリ
１４１  押下ボタン
１６  シュー
２０  モータグリップ部
２１  グリップハウジング
２１１  左側ハウジング
２１２  右側ハウジング
２１５  螺子止め部
２２  グリップ部
２３  バッテリ取付部
２４  機構取付部
２４１  雄螺子
２５  交換蓋
２６  吸気口
２７  エラストマ
３０  電動モータ
３１  モータ軸
３１１  後端側ベアリング
３１２  前端側ベアリング
３２  ステータ
３３  ロータ
３４  コンミテータ
３５  冷却ファン
３６  操作スイッチ
３７  スイッチ本体
３８  スライドレバー
３８１  操作部
３９  コントローラ
４０  出力機構部
４１  機構ハウジング
４２  出力軸
４４  チャック機構
４８  吹出し口
４９  螺子部材
５０  グリップエンド部
５１  取付構造
５３  第１拡径部
５４  第２拡径部
５４１  上側面
６０  取付構造
６１  嵌合係止部
６２  凹部
６３  棒本体
６４  下部端縁
６５  係合端縁部
７０  取付具
７１  上側部材
７２  上辺部
７２１  内周面
７３  左辺部
７３１  左側矩形体
７３２  内周面
７３３  外周面
７３５  フック取付部
７３６  嵌合スリット
７３７  雌螺子部
７３９  雌螺子部
７４  右辺部
７４１  右側矩形体
７４２  内周面
７４３  外周面
７４５  フック取付部
７４６  嵌合スリット
７４７  雌螺子部
７４９  雌螺子部
７５  係止雄部
７５１  嵌合凹溝
８１  下側部材
８２  下辺部
８２１  内周面
８２５  突出体
８３  左結合部
８３１，８４１  挿通孔
８４  右結合部
８５  係合凹部
９０  雄螺子部材
９１  フック部材
９２  差込板部
９３  係止孔
９４  フック部
【図１】
2016101621.tif 000003
【図２】
2016101621.tif 000004
【図３】
2016101621.tif 000005
【図４】
2016101621.tif 000006
【図５】
2016101621.tif 000007
【図６】
2016101621.tif 000008
【図７】
2016101621.tif 000009